(57)【要約】【課題】ダンパーとボイスコイルボビンとの性能を維持しつつ、ダンパーがボイスコイルボビンから外れることを防止したスピーカを提供することを目的とする。【解決手段】本発明のスピーカは、ボイスコイルボビン８と、内周部から外径方向に対して垂直に突出した第１の突出部１３を有し、この突出部１３の内周部にボイスコイルボビン８の外周部が結合されたダンパー１０と、ボイスコイルボビン８の外周部および第１の突出部１３の少なくとも外周部に結合して第１の突出部１３を覆う補強部１４とを備えたことを特徴とする。【選択図】図２
2010098490.tif 000002
【特許請求の範囲】
【請求項１】
フレームと、
このフレームに結合された磁気回路部と、
この磁気回路部の磁気ギャップに配挿されたボイスコイルと、
このボイスコイルが巻回されたボイスコイルボビンと、
内周部が前記ボイスコイルボビンに結合されるとともに外周部が前記フレームに結合されて、前記磁気回路部と前記ボイスコイルとから発生する駆動力によって振動する振動板と、
内周部から外径方向に対して垂直に突出した第１の突出部を有し、この第１の突出部の内周部に前記ボイスコイルボビンの外周部が結合されたダンパーと、
前記ボイスコイルボビンの外周部および前記第１の突出部の少なくとも外周部に結合して前記第１の突出部を覆う第１の補強部とを備えたスピーカ。
【請求項２】
前記第１の突出部は上下に突出したことを特徴とする請求項１に記載のスピーカ。
【請求項３】
前記ボイスコイルボビンと前記ダンパーとはそれぞれ別の材料によって成型されたことを特徴とする請求項１に記載のスピーカ。
【請求項４】
前記ボイスコイルボビンは樹脂によって成型され、前記ダンパーは弾性体によって成型されたことを特徴とする請求項３に記載のスピーカ。
【請求項５】
前記補強部は、前記ボイスコイルボビンの外周部に内周部が結合した第１の補強部と、この第１の補強部の外周部に内周部が結合した第２の補強部とからなり、
前記第１の補強部と前記第２の補強部とは異なる材料で構成されたことを特徴とする請求項１に記載のスピーカ。
【請求項６】
前記ダンパーは、前記補強部の外周部よりも外側に前記ダンパーの外径方向と垂直に突出した第２の突出部を有し、
この第２の突出部の内周部は、前記補強部の外周部に結合されたことを特徴とする請求項１に記載のスピーカ。
【請求項７】
内周部が前記ボイスコイルボビンの外周部と結合するコーンネックをさらに備え、
前記第２の突出部は、前記コーンネックを載置し、かつ、前記コーンネックを前記ボイスコイルボビンとともに挟み込むガイド部を有することを特徴とする請求項６に記載のスピーカ。
【発明の詳細な説明】
【技術分野】
【０００１】
本発明は、ダンパーとボイスコイルとが取り付けられるスピーカに関する。
【背景技術】
【０００２】
従来のスピーカでは、ダンパーをボイスコイルボビンにインサート成型している（例えば特許文献１を参照）。また、ダンパーとボイスコイルボビンとを一体成型したボイスコイルボビン型ダンパーを設けている（例えば、特許文献２を参照）。
【特許文献１】特開昭６３−１６４８００号公報
【特許文献２】特開平８−１０２９９３号公報
【発明の開示】
【発明が解決しようとする課題】
【０００３】
しかし、特許文献１では、単にダンパーをボイスコイルボビンにインサート成型しても、ダンパーが外径方向に引っ張られる力が加わると、ダンパーがボイスコイルボビンから外れてしまうという問題があった。また、特許文献１では、強度を高めようとすると、ボイスコイルボビンを厚く、重くしなければならず、音圧が低下する。一方、特許文献２では、ダンパーとボイスコイルボビンとを同一の材料によって一体成型したボイスコイルボビン型ダンパーを設けると、ダンパーに必要な弾性力と、ボイスコイルボビンに必要な固さとの両立が困難となるという問題があった。したがって、ダンパーとボイスコイルボビンの性能の両立が困難であった。
【０００４】
本発明の目的は、ダンパーとボイスコイルボビンとの性能を維持しつつ、音圧を低下させることなく、ダンパーがボイスコイルボビンから外れることを防止したスピーカを提供することである。
【課題を解決するための手段】
【０００５】
本発明の一局面であるスピーカは、フレームと、このフレームに結合された磁気回路部と、この磁気回路部の磁気ギャップに配挿されたボイスコイルと、このボイスコイルが巻回されたボイスコイルボビンと、内周部がボイスコイルボビンに結合されるとともに外周部がフレームに結合されて、磁気回路部とボイスコイルとから発生する駆動力によって振動する振動板と、内周部から外径方向に対して垂直に突出した第１の突出部を有し、この第１の突出部の内周部にボイスコイルボビンの外周部が結合されたダンパーと、ボイスコイルボビンの外周部および第１の突出部の少なくとも外周部に結合して第１の突出部を覆う第１の補強部とを備えたことを特徴とする。
【発明の効果】
【０００６】
本発明によれば、ダンパーとボイスコイルボビンとの性能を維持しつつ、音圧を低下させることなく、ダンパーがボイスコイルボビンから外れることを防止したスピーカを提供することができる。
【発明を実施するための最良の形態】
【０００７】
（実施の形態１）
以下、本発明を実施するための最良の形態を、図面を用いて説明する。
【０００８】
図１は、本発明の実施の形態１におけるスピーカの半断面図である。図１に示されるように、磁気回路部１は、ヨーク２、マグネット３、プレート４を備える。磁気回路部１はフレーム５に結合されている。このフレーム５の周縁部はエッジ６の外周部に固着されている。このエッジ６の内周部には振動板７が貼り付けられている。この振動板７の内周部にはボイスコイルボビン８が結合されている。ボイスコイルボビン８の側面の下部にはボイスコイル９が巻回されている。また、ボイスコイルボビン８の側面は、ダンパー１０で支持されている。ボイスコイルボビン８の下部に巻回されたボイスコイル９は、磁気回路部１の磁気ギャップにはまりこんでいる。振動板７の中央部上面にはダストキャップ１１が貼り付けられている。
【０００９】
ボイスコイルボビン８は、ポリイミド、アルミ、クラフト紙等で構成される。また、ダンパー１０は、ボイスコイルボビン８とは異なる材料である弾性体で構成される。例えば、熱可塑性エラストマやゴムで構成される。
【００１０】
図２は、図１におけるボイスコイルボビン８の側面とダンパー１０とが結合した部分を拡大した拡大図である。図２に示されるように、ボイスコイルボビン８の外周部の上端には、振動板７の内周部であるコーンネック１２の内周部が結合している。ダンパー１０は、内周部がダンパー１０の外径方向に対して垂直に突出した第１の突出部１３を有する。ダンパー１０は、ボイスコイルボビン８の第１の突出部１３を通ってインサート成型される。図２に示されるように、この第１の突出部１３は、上下に突出しているが、紙面に対して垂直方向に突出してもよい。すなわち、第１の突出部１３は、ダンパー１０の外径方向に対して垂直に突出するのであればどのような形状となってもよい。
【００１１】
また、図２に示されるように、補強部１４は、ボイスコイルボビン８の外周部および第１の突出部１３の外周部に結合して第１の突出部１３を覆っている。補強部１４は、紙で構成される。この材料によれば、補強部１４とボイスコイルボビン８との結合力が、ダンパー１０が有する第１の突出部１３とボイスコイルボビン８との結合力より大きくなる。また、ダンパー１０の外径方向に引っ張る力がダンパー１０に加わった場合、第１の突出部１３の外周部が補強部１４の内周部によって係止される。以上より、第１の突出部１３がボイスコイルボビン８から剥離することを防止できる。
【００１２】
図３は、図１におけるボイスコイルボビン８のうち、第１の突出部１３がダンパー１０に設けられておらず、補強部１４も設けられていない箇所でダンパー１０と結合する部分を拡大した拡大図である。図３に示されるように、ボイスコイルボビン８の側面には、第１の突出部１３や補強部１４が結合されず、単にダンパー１０の内周部が結合される部分があってもよい。また、単にダンパー１０の内周部が結合される部分はなく、ボイスコイルボビン８の側面の全ての箇所が図２に示されるような構成となってもよい。
【００１３】
図２に示されるように、ダンパー１０の内周部に設けられた第１の突出部１３の内周部は、ボイスコイルボビン８の外周部と結合する。そして、第１の突出部１３の少なくとも外周部は、補強部１４の内周部に結合している。したがって、補強部１４は、第１の突出部１３を覆っている。したがって、ダンパー１０が外径方向に引っ張られる力を受けても、第１の突出部１３が補強部１４の側壁に引っかかり、ダンパー１０が係止されるため、ダンパー１０がボイスコイルボビン８から外れてしまうことを防止することができる。また、ボイスコイルボビン８とダンパー１０とは同じ材料で一体成型されておらず、それぞれに適した材料が用いられているので、ボイスコイルボビン８とダンパー１０とそれぞれの性能を維持することができる。なお、ダンパー１０の中に金糸線をモールドしてもよい。これにより、金糸線の剥離を防止することができる。
【００１４】
（実施の形態２）
以下、本発明の実施の形態２におけるスピーカについて図面を用いて説明する。なお、実施の形態１と同一部分は同一番号を付し、説明を省略する。
【００１５】
図４は、本発明の実施の形態２におけるボイスコイルボビン８の側面とダンパー１０とが結合した部分を拡大した拡大図である。図４に示されるように、補強部１４は、第１の補強部１４ａと第２の補強部１４ｂとを有する。第１の補強部１４ａの径は、第２の補強部１４ｂの径よりも大きい。第１の補強部１４ａと第２の補強部１４ｂとを異なる材料で構成した場合、第１の補強部１４ａには、ボイスコイルボビン８への結合に最適な材料を選び、第２の補強部１４ｂには、ダンパー１０への結合に最適な材料を選ぶことができるため、ダンパー１０とボイスコイルボビン８の剥離をより防止できる。なお、第１の補強部１４ａと第２の補強部１４ｂは同一の材料を用いた一の補強部とすることもできる。
【００１６】
第１の補強部１４ａは、内周部がボイスコイルボビン８の外周部と結合し、外周部が第２の補強部の内周部と結合する。第２の補強部１４ｂは、内周部のうち第１の補強部１４ａと結合していない部分が第１の突出部１３と結合する。また、ダンパー１０は、第２の補強部１４ｂより外径方向側に、ダンパー１０の外径方向に対して垂直に突出した第２の突出部１５を有する。第２の補強部１４ｂは、外周部の一部が第２の突出部１５の内周部と結合する。第２の突出部１５は、上下に突出しているが、紙面に対して垂直方向に突出してもよい。
【００１７】
図４に示されるように、第２の補強部１４ｂは、ダンパー１０に設けられた第１の突出部１３と第２の突出部１５とによって挟まれて固定されている。したがって、ダンパー１０は、いずれの方向に力が加えられても、第１の突出部１３と第２の突出部１５とが第２の補強部１４ｂの側壁に引っかかり、ダンパー１０が係止される。第２の補強部１４ｂの内周部と外周部とが挟み込まれて固定されているため、ダンパー１０と第２の補強部１４ｂとの固定位置がずれずに保持される。これにより、ダンパー１０とボイスコイルボビン８との固定位置も安定して保持されるので、ダンパー１０とボイスコイルボビン８との垂直度を維持することができる。また、ダンパー１０がボイスコイルボビン８から外れてしまうことを防止することができる。
【００１８】
（実施の形態３）
以下、本発明の実施の形態３におけるスピーカについて図面を用いて説明する。なお、実施の形態１、実施の形態２と同一部分は同一番号を付し、説明を省略する。
【００１９】
図５は、本発明の実施の形態３におけるボイスコイルボビン８の側面とダンパー１０とが結合した部分を拡大した拡大図である。図５に示されるように、ボイスコイルボビン８の外周部の上端にコーンネック１２の内周部が結合している。第２の突出部１５は、ボイスコイルボビン８の上端側まで突出している。第２の突出部１５は、コーンネック１２を載置し、コーンネック１２の外周部と結合するガイド部１６を有する。このガイド部１６の内周部は、コーンネック１２の外周部を覆っている。
【００２０】
これにより、第２の突出部１５は、ボイスコイルボビン８とともにコーンネック１２を挟み込んで固定する構造となっている。したがって、コーンネック１２がボイスコイルボビン８から剥離することを防止できる。
【００２１】
なお、ガイド部１６は、第１の突出部１３より上側に位置する第１の補強部１４ａや第２の補強部１４ｂを覆い、固定してもよい。これにより、さらに第１の補強部１４ａや第２の補強部１４ｂがダンパー１０をボイスコイルボビン８に固定することができ、剥離を防止することができる。
【産業上の利用可能性】
【００２２】
本発明のスピーカは、ＡＶ機器、特に振動が大きい車載機器に搭載される音響機器として有用である。
【図面の簡単な説明】
【００２３】
【図１】本発明の実施の形態１におけるスピーカの半断面図
【図２】図１におけるボイスコイルボビンとダンパーとが結合した部分を拡大した拡大図
【図３】図１におけるボイスコイルボビンのうち、第１の突出部がダンパーに設けられておらず、補強部も設けられていない箇所でダンパーと結合する部分を拡大した拡大図
【図４】本発明の実施の形態２におけるボイスコイルボビンとダンパーとが結合した部分を拡大した拡大図
【図５】本発明の実施の形態３におけるボイスコイルボビンとダンパーとが結合した部分を拡大した拡大図
【符号の説明】
【００２４】
１  磁気回路部
２  ヨーク
３  マグネット
４  プレート
５  フレーム
６  エッジ
７  振動板
８  ボイスコイルボビン
９  ボイスコイル
１０  ダンパー
１１  ダストキャップ
１２  コーンネック
１３  第１の突出部
１４  補強部
１４ａ  第１の補強部
１４ｂ  第２の補強部
１５  第２の突出部
１６  ガイド部
【図１】
2010098490.tif 000003
【図２】
2010098490.tif 000004
【図３】
2010098490.tif 000005
【図４】
2010098490.tif 000006
【図５】
2010098490.tif 000007